(57)【要約】【課題】特殊な専門技術を必要とせずに、短時間にねじ込み方向の一方向だけで固定でき、容易に比較的小さい力で、恒久的に緩みなく安定的に骨の接合と脱着ができるラグスクリュウを提供すること。【解決手段】ねじ込みによりネイルとラグスクリュウとを固定する構造にあって、ラグスクリュウの接合骨部分との噛合い部分を円周外側方向に拡張させる機構のドローバーを備えることによって、被手術者のいかなる身体の自由運動においても恒久的に緩みなくロックできるラグスクリュウ構造を提供することを特徴とする。【選択図】図７
2014030685.tif 000002
【特許請求の範囲】
【請求項１】
ラグスクリュウを構成するラグスクリュウ本体を二条ねじ込みで押し込むことにより、ネイルとラグスクリュウを固定する固定構造であって、ラグスクリュウ本体とネイルの組立体の装着完了後にこれらの組立体構造が接合骨に対して恒久的に緩まない緩み止めを有することを特徴とするラグスクリュウの緩み止め機構。
【発明の詳細な説明】
【技術分野】
【０００１】  この発明は、主に大腿骨骨折の骨接合手術に使用するインプラント用のネイルとラグスクリュウとの固定構造におけるラグスクリュウの緩み止め機構に関する。
【背景技術】
【０００２】  従来から、ラグスクリュウを構成するストッパー・スクリュウのねじ込みによる押し込み力により、ネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【特許文献３】  特許出願  特願２０１２−１２８３７７
【発明の開示】
【発明が解決しようとする課題】
【０００３】  しかしながら、上記の従来の固定構造によると、接合骨との装着後の組立体の安定性が良くなく、ぐらついたり、あるいはラグスクリュウ本体が軸方向に自然に進んだり、あるいは接合骨の成長により骨に対して緩むといった問題がある。【０００４】  この発明は上記事情に鑑みてなされたものであり、ネイルとラグスクリュウが安価に製作でき、しかも容易に短時間でかつ高い安定性を有して固定できるネイルとラグスクリュウの固定構造と同時に、ラグスクリュウ本体が接合骨に対して恒久的に緩まない機構を提供することを目的とする。
【課題を解決するための手段】
【０００５】  この発明は、上記課題を解決するため、以下の手段を採用する。
この発明に係るネイルとラグスクリュウとの固定構造はラグスクリュウの二条ねじのねじ込み先端と、反対側の三葉以上の複数形凹面溝への回し工具の差込み・ねじ込みによる押し込み力により、ネイルとラグスクリュウとを固定する固定構造であって、二条ねじのラグスクリュウの先端周辺にコレット形に二つ以上のスリ割りを備え、さらにラグスクリュウの先端周辺のコレット形スリ割り部分を周辺状に拡張するドローバーとの組み合わせによって構成され、ラグスクリュウ本体が接合骨に対して周辺方向にも軸方向にも緩まないことを特徴とする。【０００６】  上記のような構成によるラグスクリュウとドローバーの組合せ機構は、ラグスクリュウ本体のねじ込み方向先端部にドローバーをねじ結合で配置することによって構成され、ラグスクリュウ本体を回しねじ込み工具で三葉形凹面溝に合わせてネイルにねじ込めされた後で、ドローバーの後端にあるコレット開閉用の三葉形凹面溝に回し工具を挿入してドローバーを回転すると、ドローバーが後方に引き込まれると同時にラグスクリュウとのテーパー噛合いによって、スリ割りを入れられたラグスクリュウの先端部が外側円周方向に拡張してラグスクリュウが接合骨に強制的に食付くもので、接合骨とラグスクリュウの間において周辺方向にも軸方向にも動きなく緩まない高い静止安定性を保持することを特徴とする。
【発明の効果】
【０００７】  以上のように、本発明に係るラグスクリュウとドローバーの組合せ機構は、接合骨とラグスクリュウとが容易に、短時間に、かつ、高度な安定性を有してねじ込み方向の一方向だけで緩み止めでき、熟練した技術を必要とせずに骨接合手術を安全に行うことができる利点がある。
【発明を実施するための最良の形態】
【０００８】  この発明に係る一実施形態について、図１、図２、図３、図４、図５、図６、図７を参照して説明する。【０００９】  図１はこの実施例に係るネイル（図示せず）に挿入されるラグスクリュウ１とドローバー２の組合せ機構の全体図を断面表示したものであり、図２は図１のＡ−Ａ断面図を表し、図３は図１のＢ−Ｂ断面図を表し、図４は図１のＣ−Ｃ断面図を表し、図５は図１のＤ−Ｄ断面図を表し、図６は図１のＥ−Ｅ断面図を表し、図７は図１のＦ−Ｆ断面図を表わす。【００１０】  この実施例に係るラグスクリュウ１は図１に示されるように、ドローバー２との組合せにより回し工具を三葉形凹面溝１−８に差し込んで回すことによって、ドローバー２が図１のラグスクリュウ１の進み方向と反対の右側方向に移動すると、ドローバー２の先端部のテーパー部２−３とラグスクリュウ１の先端部のテーパー部１−５の噛合いのために、周辺に複数個のスリ割り１−１を入れられた先端部分がラグスクリュウ１を円周外側方向に拡張させて、ラグスクリュウ１を結合骨に食い込ませる構造のものである。【００１１】  この発明によるラグスクリュウの緩み止め機構は、図１から図７に示されるように、ラグスクリュウ１のコレット形スリ割り１−１およびドローバー２と噛合いのためのテーパー部１−５を備える先端部材と回しねじ込み工具用の三葉形凹面溝１−８を有する後端部材を一体的に含むラグスクリュウ１、および先端の蓋部、ラグスクリュウ１とねじ噛合で形成されるコレット開閉用雄ねじ２−１、および回しねじ込み工具用の三葉形凹面溝２−５を備えるドローバー２から構成される。【００１２】  図１に見られるように、ドローバー２のラグスクリュウ１との噛合い部の先端部はドローバー２が移動される距離分だけの相対的移動クリアランスを先端受け穴２−４に有し、その後三葉形凹面溝１−８に回し工具を差し込んでドローバー２が回される時に水平移動する距離に相当する分だけ周辺方向に拡張して接合骨に食い込み、従って、緩み止めの効果を発揮する。この回し工具によるドローバー２の水平移動量はドローバー２に嵌め込まれる移動ストッパー３がラグスクリュウ１に設けられるストッパー溝前端１−４または後端１−３に当たることによって制限される。【００１３】  ラグスクリュウ１の後端部には回しねじ込み工具が差し込まれ、摩擦接触面が大きく取れる三つ以上の葉形凹面溝１−８が備えられると共にラグスクリュウの抜けを防止するためのサークリップ４が備えられる。【００１４】  この発明によれば、ラグスクリュウ１のネイル（図示せず）への装着後には、この組立体はこのラグスクリュウ１とドローバー２の組合せ引き作用により、接合骨に対して恒久的に緩むことなく、被手術者の自然の運動によっても常に安定な静止状態を保持し、その上、着脱時には無理な力を掛けずに、骨にも負担を掛けずに取り外すことができる。【００１５】  なお、この発明の技術範囲は上記実施の形態に限定されるものではなく、本発明の趣旨を逸脱しない範囲において種々の変更を加えることが可能である。
【産業上の利用可能性】
【００１６】  この発明によるラグスクリュウの利用により、特殊な専門技術を必要とせずに、ねじ込み方向の一方向だけで短時間に固定でき、容易に比較的軽い力で、緩みなく安定的に骨の接合維持および脱着を行うことができる。
【図面の簡単な説明】
【００１７】
【図１】この発明の一実施形態に係るラグスクリュウ１とドローバー２の組合せ構造を説明するためのシステム構成図であり、ドローバー２の横軸線から上の断面は最初の組合せ取付位置を示し、下の断面はドローバー２が図面の右方向に引かれてラグスクリュウ１と滑り噛合いで緩み止めされる位置を示す。
【図２】この発明の一実施形態に係るラグスクリュウ１の前部のドローバー２との滑り噛合い構造およびラグスクリュウ１の円周半径方向に備えられる４か所のコレット形スリ割り１−１の詳細図である。
【図３】この発明の一実施形態に係るラグスクリュウ１に対するドローバー２の移動ストロークを制限する移動ストッパー３を示す詳細図である。
【図４】この発明の一実施形態に係るラグスクリュウ１の雌ネジ１−２とドローバー２の雄ねじ２−１のコレット開閉のためのねじ噛合い部の詳細図である。
【図５】この発明の一実施形態に係るラグスクリュウ１とドローバー２の組合せの中間部分を示す詳細図である。
【図６】この発明の一実施形態に係るドローバー２の後部端面のねじ込み工具の挿入のための三葉形凹面溝２−５の詳細図、およびラグスクリュウ１の周辺に備えられる１または２以上の複数の回り止め溝１−７を表す詳細図である。
【図７】この発明の一実施形態に係るラグスクリュウ１の後部端面のねじ込み工具の差込みのための三葉形凹面溝１−８の詳細図、およびラグスクリュウ１の抜け止めのためのサークリップの詳細図である。
【符号の説明】
【００１８】１  ラグスクリュウ
１−１  コレット形スリ割り
１−２  コレット開閉雌ねじ
１−３  ストッパー溝後端
１−４  ストッパー溝前端
１−５  テーパー部
１−６  先端部
１−７  スリーブとの噛合い溝
１−８  回し工具用三葉形凹面溝
２  ドローバー
２−１  コレット開閉用雄ねじ
２−２  サークリップ組付け余裕溝
２−３  テーパー部
２−４  先端溝
２−５  回し工具用三葉形凹面溝
３  ドローバー用移動制限サークリップ
４  ラグスクリュウ用抜け止めサークリップ
【図１】
2014030685.tif 000003
【図２】
2014030685.tif 000004
【図３】
2014030685.tif 000005
【図４】
2014030685.tif 000006
【図５】
2014030685.tif 000007
【図６】
2014030685.tif 000008
【図７】
2014030685.tif 000009